(57)【要約】【課題】回路規模やシステム規模を大きくすることなく、打鍵すべき鍵を打鍵したこと及び打鍵の強度を容易に視認できる鍵盤装置を提供する。【解決手段】鍵盤装置１は、光透過性を有し打鍵方向に揺動可能に設けられた複数の鍵１０と、鍵１０に光を照射する光源５４と、を有し、光源５４の発光状態を変化させることなく、打鍵による鍵１０と光源５４との相対的位置関係の変化によって、鍵１０の上面１１ａから発せられる光の状態を変化させるようにした。このため、回路規模やシステム規模を大きくすることなく現行の回路規模及び制御システムを用いて、機械的に発光状態を変えることにより、打鍵すべき鍵１０を打鍵したこと及び打鍵の強度を容易に視認することができる。【選択図】  図１
2018159813.tif 000002
【特許請求の範囲】
【請求項１】
光透過性を有し打鍵方向に揺動可能に設けられた複数の鍵と、
前記鍵に光を照射する光源と、を有し、
前記光源の発光状態を変化させることなく、打鍵による前記鍵と前記光源との相対的位置関係の変化によって、前記鍵の表面部から発せられる光の状態を変化させることを特徴とする鍵盤装置。
【請求項２】
前記光源と前記鍵との間に設けられ、前記光源から照射された後の光の色を変化させる光学部材を有し、
前記光源の発光色を変化させることなく、打鍵による前記光源と前記鍵と前記光学部材との相対的位置の変化によって、前記鍵の表面部から発せられる光の色を変化させることを特徴とする請求項１に記載の鍵盤装置。
【請求項３】
前記光源は、１個の発光素子からなり、
前記鍵の表面部は、１箇所の透過性部位を有し、
前記光学部材は、前記光源から照射される光の発光色を変化させる変化特性が異なる複数の前記光学部材からなり、
前記複数の光学部材の１つが、非打鍵時において前記発光素子から前記透過性部位までの光の経路上に配設されるとともに、打鍵によって前記光の経路上に位置する前記光学部材が入れ替わることで、前記透過性部位から発せられる光の色を変化させることを特徴とする請求項２に記載の鍵盤装置。
【請求項４】
前記光源は、１個の発光素子からなり、
前記鍵の表面部は、１箇所の透過性部位を有し、
前記発光素子からの光を遮蔽可能な遮蔽部材と、を有し、
前記光学部材を前記発光素子から前記透過性部位までの光の経路上に配設するとともに、打鍵によって前記光の経路上における前記遮蔽部材の位置を変化させて、前記透過性部位から発せられる光の色を変化させることを特徴とする請求項２に記載の鍵盤装置。
【請求項５】
前記光源は、レーザ光を照射する発光素子を有し、
前記鍵の表面部は、１箇所の透過性部位を有し、
前記レーザ光を前記透過性部位に導く前記光学部材と、を有し、
打鍵によって前記光学部材の位置が変化して、前記透過性部位から発せられる光の色を変化させることを特徴とする請求項２に記載の鍵盤装置。
【請求項６】
前記各鍵に対して、
複数個の発光素子を有する前記光源と、
前記各発光素子に対応して複数個の透過性部位を有する前記鍵の表面部と、を有し、
打鍵によって変化する前記発光素子と前記透過性部位との間の距離の変化量が、前記発光素子と前記透過性部位との組み合わせごとに異なることを特徴とする請求項１に記載の鍵盤装置。
【請求項７】
前記発光素子と前記透過性部位との第１の組み合わせにおいては、前記発光素子の発光強度は打鍵の有無に関係なく電気的に制御可能であり、
前記発光素子と前記透過性部位との第２の組み合わせにおいては、前記発光素子の発光強度を一定に保持するとともに打鍵によって変化する前記発光素子と前記透過性部位との間の距離の変化量により前記透過性部位から発せられる光の色を変化させることを特徴とする請求項６に記載の鍵盤装置。
【請求項８】
演奏データに基づいて打鍵すべき前記鍵の打鍵強度を特定する第１強度特定手段と、
実際に打鍵された前記鍵の打鍵強度を特定する第２強度特定手段と、
前記第１強度特定手段により特定された第１打鍵強度と、前記第２強度特定手段により特定された第２打鍵強度とを比較し、比較結果に応じた強度で前記透過性部位を発光させる発光制御手段と、を有し、
前記発光制御手段による発光の制御は、打鍵により生じる前記発光素子と前記透過性部位との間の距離の変化量が少ないほうの組み合わせに対応する前記発光素子に対して行われることを特徴とする請求項６に記載の鍵盤装置。
【請求項９】
非打鍵時において演奏データに基づいて打鍵すべき前記鍵を発光させる第１発光機能と、
打鍵時に前記鍵を発光させる第２発光機能と、を有し、
前記第１発光機能による発光色と前記第２発光機能による発光色とが異なることを特徴とする請求項１から請求項８までのいずれか１項に記載の鍵盤装置。
【発明の詳細な説明】
【技術分野】
【０００１】
本発明は、発光可能な鍵を有する鍵盤装置に関するものである。
【背景技術】
【０００２】
従来、電子ピアノや電子オルガン等の鍵盤を有する楽器において、発光可能な鍵を有するものが知られている（特許文献１及び特許文献２参照）。
【０００３】
特許文献１に記載の楽器では、鍵盤に設けられたＬＥＤを利用して、演奏データに基づいて打鍵すべき鍵を発光させてガイドする設定や、ユーザの打鍵操作に応じて打鍵された鍵を種々の形態で発光させる等の種々の設定が選択可能になっている。これにより、ユーザが必要な機能を選択できるようにして、電子楽器特有の、従来の楽器として以外の付加価値を実現している。
また、特許文献２に記載の楽器では、ＬＥＤが発した光を鍵の表面に導くために、一部弾性を有する導光体が設けられている。これにより、発光する鍵の視認性を向上させている。
【先行技術文献】
【特許文献】
【０００４】
【特許文献１】特開２００７−１９９１３４号公報
【特許文献２】特開２００５−３５２５０５号公報
【発明の概要】
【発明が解決しようとする課題】
【０００５】
上記従来技術においては、打鍵した鍵を発光させること及び打鍵すべき鍵を発光させることはできるものの、発光状態が同じであるため、打鍵すべき鍵を打鍵したことを視認するのが困難であった。また、打鍵した強度を、発光状態から視認することはできないという問題があった。
これらの問題は、複数色の光源を用いたり、鍵の沈み量をセンサで検出して光量や色を変化させたりする等、電気的に制御することにより解決可能であるが、この場合には回路規模やシステム規模が大きくなるという問題があった。
【０００６】
本発明は、上記事情に鑑みてなされたものであり、回路規模やシステム規模を大きくすることなく、鍵の打鍵状態を容易に視認できる鍵盤装置を提供することを目的とする。
【課題を解決するための手段】
【０００７】
上記目的を達成するために、本発明は、以下の構成によって把握される。
本発明の鍵盤装置は、光透過性を有し打鍵方向に揺動可能に設けられた複数の鍵と、前記鍵に光を照射する光源と、を有し、打鍵による前記鍵と前記光源との相対的位置関係の変化によって、前記鍵の表面部から発せられる光の状態を変化させることを特徴とする。
【発明の効果】
【０００８】
本発明によれば、回路規模やシステム規模を大きくすることなく、鍵の打鍵状態を容易に視認できる鍵盤装置を提供できる。
【図面の簡単な説明】
【０００９】
【図１】（Ａ）は本発明に係る第１実施形態における鍵の平面図であり、（Ｂ）は（Ａ）中Ａ−Ａ位置における非打鍵時の鍵の断面図であり、（Ｃ）は（Ａ）中Ａ−Ａ位置における打鍵時の鍵の断面図である。
【図２】（Ａ）は非打鍵時におけるＬＥＤ、第１の光学部材及び第２の光学部材の位置関係を示す説明図であり、（Ｂ）は鍵を揺動範囲の途中まで打鍵したときの位置関係を示す説明図であり、（Ｃ）は鍵を揺動範囲の限界まで打鍵したときの位置関係を示す説明図である。
【図３】（Ａ）は本発明に係る第２実施形態における鍵の平面図であり、（Ｂ）は（Ａ）中Ａ−Ａ位置における非打鍵時の鍵の断面図であり、（Ｃ）は（Ａ）中Ａ−Ａ位置における打鍵時の鍵の断面図である。
【図４】（Ａ）は非打鍵時におけるＬＥＤ、第１の光学部材及び第２の光学部材の位置関係を示す説明図であり、（Ｂ）は鍵を揺動範囲の途中まで打鍵したときの位置関係を示す説明図であり、（Ｃ）は鍵を揺動範囲の限界まで打鍵したときの位置関係を示す説明図である。
【図５】（Ａ）は本発明に係る第３実施形態における鍵の平面図であり、（Ｂ）は（Ａ）中Ａ−Ａ位置における非打鍵時の鍵の断面図であり、（Ｃ）は（Ａ）中Ａ−Ａ位置における打鍵時の鍵の断面図である。
【図６】（Ａ）は本発明に係る第４実施形態における非打鍵時の鍵の断面図であり、（Ｂ）は打鍵時の鍵の断面図である。
【図７】（Ａ）は本発明に係る第５実施形態における非打鍵時の鍵の断面図であり、（Ｂ）は打鍵時の鍵の断面図である。
【図８】レーザ光が光学部材の開口を通過したときに生じる回折縞を示す説明図である。
【図９】本発明に係る第６実施形態の鍵盤装置の要部説明図である。
【図１０】（Ａ）は本発明に係る第７実施形態の鍵盤装置の平面図であり、（Ｂ）は非打鍵時における（Ａ）中Ａ−Ａ位置の断面図であり、（Ｃ）は打鍵時における（Ａ）中Ａ−Ａ位置の断面図である。
【図１１】本発明に係る第７実施形態の鍵盤装置における制御系統を示すブロック図である。
【図１２】（Ａ）は本発明に係る第８実施形態の鍵盤装置の平面図であり、（Ｂ）は非打鍵時における（Ａ）中Ａ−Ａ位置の断面図であり、（Ｃ）は打鍵時における（Ａ）中Ａ−Ａ位置の断面図である。
【発明を実施するための形態】
【００１０】
以下、本発明に係る実施形態について説明する。以下の説明においては、共通する部分がある実施形態をまとめて実施形態群とし、まず、実施形態群に共通する構成等の概略を説明した後に、実施形態について詳細に説明する。なお、本発明に係る実施形態は、鍵盤装置を備えた一般的な電子楽器に広く適用可能なので、電子楽器自体の説明及び図は省略することとする。
【００１１】
＜実施形態群Ａ＞
まず、実施形態群Ａの特徴について説明する。
実施形態群Ａにおいては、鍵盤装置は、光透過性を有し打鍵方向に揺動可能に設けられた複数の鍵と、鍵に光を照射する光源と、を有し、打鍵による鍵と光源との相対的位置関係の変化によって、鍵の表面部から発せられる光の状態を変化させる。
さらに、鍵盤装置に、光源と鍵との間に設けられ光源からの光を変化させる光学部材を設け、打鍵による光源と鍵と光学部材との相対的位置を変化させる。
このとき、鍵盤装置は、１個の発光素子からなる光源と、１個の透過性部位を有する鍵の表面部と、発光色の変化特性が異なる複数の光学部材と、を有し、光学部材を発光素子から透過性部位までの光の経路上に配設するとともに、打鍵によって光学部材の位置を変化させるようにした。
これにより、非打鍵時において演奏データに基づいて打鍵すべき鍵を発光させる第１発光機能と、打鍵時に鍵を発光させる第２発光機能と、を有し、第１発光機能による発光色と第２発光機能による発光色とが異なるようにした。
【００１２】
（第１実施形態）
図１（Ａ）は本発明に係る実施形態における鍵の平面図であり、図１（Ｂ）は図１（Ａ）中Ａ−Ａ位置における非打鍵時の鍵の断面図であり、図１（Ｃ）は図１（Ａ）中Ａ−Ａ位置における打鍵時の鍵の断面図である。なお、図１（Ｂ）の断面図には、鍵盤装置を支持する楽器側の支持部材である鍵盤シャーシが追加記載されている。
【００１３】
図１（Ａ）及び図１（Ｂ）に示すように、第１実施形態の鍵盤装置１は、楽器本体（図示省略）に固定されている鍵盤シャーシ５０に取り付けられる。鍵盤装置１には、複数の鍵１０が鍵１０の幅方向に複数個平行に配列されている。ここでは、鍵１０として白鍵について説明するが、鍵１０の色は異なるが黒鍵に対しても適用可能である。
なお、以下の説明においては、図１（Ｂ）に示すように、鍵盤装置１の使用時における上方を「上」とし、下方を「下」とする。また、ユーザに近い側を「後」とし、遠い側を「前」として説明する。
【００１４】
図１（Ｂ）に示すように、鍵盤シャーシ５０は、鍵盤装置１の下面を全面にわたって覆うものであり、鍵盤シャーシ５０の上面における前後方向の中央部付近には、第１の基板５１が取り付けられている。第１の基板５１は、鍵１０の配列方向（図１（Ａ）において上下方向）の全長にわたって設けられており、全ての鍵１０の下方に配置されている。第１の基板５１の上面には、各鍵１０に対応してゴムスイッチ５２が取り付けられている。
【００１５】
また、鍵盤シャーシ５０の後端部付近には、第２の基板５３が、鍵１０の配列方向の全長にわたって設けられており、全ての鍵１０の後端部下方に配置されている。第２の基板５３は第１の基板５１と一体でもよいし、別体でもよいが、第１の基板５１と電気的に接続されている。第２の基板５３は、上端が前方に傾斜して取り付けられている。第２の基板５３には、光源であるＬＥＤ５４（発光素子）が、光源取付部材５５を介して第２の基板５３に直交するように取り付けられている。ＬＥＤ５４は、例えば中心角が３０°程度の照射範囲Ｒをもって光を照射する。
【００１６】
鍵１０は、例えば樹脂で形成されており、光透過性を有する。鍵１０は、透明でも可能だが、内部の機械等が見えて外観を損ねるので、光を拡散する白色の樹脂で形成するのが望ましい。鍵１０は、一枚の上板１１と、上板１１の左右両端から下方へ延びる一対の側板１２、１２とから、下方が開口した断面コ字状に形成されており、内部は中空になっている。
【００１７】
鍵１０は、前端部が揺動軸１３を介して鍵盤シャーシ５０に取り付けられており、打鍵していない非打鍵位置（図２（Ｂ）に示す位置）と、限界まで打鍵した打鍵位置（図２（Ｃ）に示す位置）との間で上下方向に揺動可能となっている。揺動可能な範囲は、鍵盤シャーシ５０のストッパ部（図示省略）によって規制されている。鍵１０の長手方向中央部には、鍵盤シャーシ５０のゴムスイッチ５２に対向するように、上板１１の下面から下方に向かってスイッチ押圧部１４が設けられている。
【００１８】
図１（Ｂ）に示すように、非打鍵時においては、スイッチ押圧部１４はゴムスイッチ５２を押圧しない。一方、図１（Ｃ）に示すように、ユーザが指で鍵１０を押し下げる打鍵時においては、揺動軸１３を中心として鍵１０の後端部が下方へ揺動し、スイッチ押圧部１４が下方へ移動するので、ゴムスイッチ５２を押圧して押し潰す。これにより、第１の基板５１に電流が流れ、鍵１０を打鍵したことが検知されて、ＬＥＤ５４を点灯させる。なお、打鍵している指を鍵１０から外すと、ゴムスイッチ５２の弾性により鍵１０を非打鍵時の位置に押し上げる。
【００１９】
また、鍵１０の後端部には、第１の光学部材（光学部材）２０ａが上板１１の下面から下方に向かって取り付けられている。第１の光学部材２０ａは、光を拡散しながら透過させる素材を用いて三角柱状に形成されており、鍵１０の色と同じ色が望ましい。第１の光学部材２０ａは、別個に成形されて鍵１０の上板１１の下面に貼り付けることができるが、同じ素材を用いて鍵１０と一体で成形することもできる。第１の光学部材２０ａが取り付けられている領域に対応する上板１１の上面（表面部）１１ａが、透過性部位１５となる。第１の光学部材２０ａは光を拡散しながら透過させるので、どの方向から第１の光学部材２０ａに光が入射しても、透過性部位１５に導光されて、透過性部位１５を発光させることができる。
【００２０】
第１の光学部材２０ａにおけるＬＥＤ５４側の一面２１の下側半分の領域には、色波長を変更する素材で形成された第２の光学部材（光学部材）２２ａが取り付けられている。第２の光学部材２２ａは、フィルム状の部材を第１の光学部材２０ａの一面２１に貼り付けることができる。あるいは、第１の光学部材２０ａを成形する際に、一面２１の下側半分に第２の光学部材２２ａを一体で２色成形することもできる。
【００２１】
図１（Ｂ）及び図２（Ａ）に示すように、非打鍵時におけるＬＥＤ５４と第１の光学部材２０ａ及び第２の光学部材２２ａの位置関係では、第２の光学部材２２ａのみがＬＥＤ５４の照射範囲Ｒに位置するようにする。この状態では、ＬＥＤ５４からの光は第２の光学部材２２ａに入射して光の色を変え、第１の光学部材２０ａに入射して透過性部位１５に導光される。
【００２２】
また、図１（Ｃ）及び図２（Ｃ）に示すように、打鍵時において鍵１０を完全に押し下げた状態では、第１の光学部材２０ａのみがＬＥＤ５４の照射範囲Ｒに位置するようにし、第２の光学部材２２ａは、まったく照射されないようにする。この状態では、ＬＥＤ５４からの光は、第２の光学部材２２ａの影響を受けることなく、第１の光学部材２０ａのみによって鍵１０の透過性部位１５に導かれる。
【００２３】
次に、鍵盤装置１の使用時における発光状態について説明する。
図２（Ａ）は非打鍵時におけるＬＥＤ５４、第１の光学部材２０ａ及び第２の光学部材２２ａの位置関係を示している。図２（Ｂ）は鍵１０を揺動範囲の途中まで打鍵したときのＬＥＤ５４、第１の光学部材２０ａ及び第２の光学部材２２ａの位置関係を示している。また、図２（Ｃ）は鍵１０を揺動範囲の限界まで打鍵したときのＬＥＤ５４、第１の光学部材２０ａ及び第２の光学部材２２ａの位置関係を示している。
【００２４】
図１（Ｂ）及び図２（Ａ）に示すように、非打鍵時には、第２の光学部材２２ａのみがＬＥＤ５４の照射範囲Ｒに位置している。すなわち、照射範囲Ｒは、第２の光学部材２２ａに照射される光の範囲Ｒ１と等しい。このため、次に打鍵すべき鍵１０を知らせるガイド機能によりＬＥＤ５４が発光した際には、ＬＥＤ５４からの光は第２の光学部材２２ａのみに入射し、色を変えて第１の光学部材２０ａに導光されて鍵１０の上板１１の透過性部位１５を照らす。これにより、透過性部位１５が鍵１０の色と異なる色に発光するので、ユーザは次に打鍵すべき鍵１０を視認することができる。
【００２５】
図２（Ｂ）に示すように、非打鍵時の状態から打鍵により鍵１０の後端部を次第に押し下げると、鍵１０に伴って第１の光学部材２０ａ及び第２の光学部材２２ａが下降する。ＬＥＤ５４の位置は変わらないので、ＬＥＤ５４からの照射光は相対的に上昇し、照射範囲Ｒが第２の光学部材２２ａから第１の光学部材２０ａへと移行する。移行途中の段階では、照射範囲Ｒに含まれる第２の光学部材２２ａの範囲Ｒ１が次第に減少するので、透過性部位１５の色は、鍵１０の下降量に対応して第２の光学部材２２ａの色から第１の光学部材２０ａの色へと連続的に変化する。この透過性部位１５の色の変化により、ユーザは、打鍵すべき鍵１０を打鍵していることを視認できる。また、色の変化の度合いにより、打鍵強度を視認することができる。
【００２６】
図１（Ｃ）及び図２（Ｃ）に示すように、限界まで打鍵した時には、第１の光学部材２０ａのみがＬＥＤ５４の照射範囲Ｒに位置している。すなわち、第２の光学部材２２ａに照射される範囲Ｒ１は、ゼロになる。このため、透過性部位１５は、第２の光学部材２２ａの影響を受けることなく、第１の光学部材２０ａの色に発光する。これにより、ユーザは、打鍵すべき鍵１０を強く打鍵したことを視認できる。
【００２７】
以上、説明した第１実施形態の鍵盤装置１によれば、打鍵による鍵１０とＬＥＤ５４との相対的位置関係の変化によって、鍵１０の上面１１ａから発せられる光の状態を変化させるようにした。このため、回路規模やシステム規模を大きくすることなく現行の回路規模及び制御システムを用いて、機械的に発光状態を変えることにより、打鍵すべき鍵１０を打鍵したこと及び打鍵の強度を容易に視認することができる。
【００２８】
また、ＬＥＤ５４と鍵１０との間に、ＬＥＤ５４からの光を変化させる第１の光学部材２０ａ及び第２の光学部材２２ａを設け、打鍵によってＬＥＤ５４と鍵１０と光学部材（第１の光学部材２０ａ、第２の光学部材２２ａ）の相対的位置を変化させるようにした。これにより、鍵１０の上面１１ａから発せられる光の状態を変化させることができるので、打鍵すべき鍵１０を打鍵したこと及び打鍵の強度を容易に視認することができる。
【００２９】
さらに、各鍵１０に、１個のＬＥＤ５４と、１個の透過性部位１５と、発光色の変化特性が異なる複数の光学部材として第１の光学部材２０ａ及び第２の光学部材２２ａを設けた。そして、第１の光学部材２０ａ及び第２の光学部材２２ａを、ＬＥＤ５４から透過性部位１５までの光の経路上に配設して、打鍵によって第１の光学部材２０ａ及び第２の光学部材２２ａの位置を変化させるようにした。このため、打鍵した鍵１０の下降量に応じて透過性部位１５の発光色を変えることができるので、打鍵すべき鍵１０を打鍵したことを視認することができる。また、発光色の変化の度合いから、打鍵の強度を容易に視認することができる。
【００３０】
（第２実施形態）
以下、本発明に係る第２実施形態の鍵盤装置について、図面を用いて説明する。なお、前述した第１実施形態の鍵盤装置１と共通する部位には同じ符号を付して、重複する説明を省略することとする。
【００３１】
図３（Ａ）は本発明に係る第２実施形態における鍵の平面図であり、図３（Ｂ）は図３（Ａ）中Ａ−Ａ位置における非打鍵時の鍵の断面図であり、図３（Ｃ）は図３（Ａ）中Ａ−Ａ位置における打鍵時の鍵の断面図である。
【００３２】
図３（Ａ）〜（Ｃ）に示すように、本発明に係る第２実施形態の鍵盤装置２においては、鍵１０の後端部に、第１の光学部材（光学部材）２０ｂが上板１１の下面から下方に向かって取り付けられている。第１の光学部材２０ｂは、光を拡散しながら透過させる素材を用いて形成されており、鍵１０の色と同じ色が望ましい。第１の光学部材２０ｂは、別個に成形されて鍵１０の上板１１の下面に貼り付けることができるが、同じ素材を用いて鍵１０と一体で成形することもできる。第１の光学部材２０ｂが取り付けられている領域に対応する上板１１の上面１１ａが、透過性部位１５となる。
【００３３】
第１の光学部材２０ｂにおけるＬＥＤ５４側の一面２３においては、上側半分はＬＥＤ５４側に突出した凸面２３ａが形成されており、一面２３の下側半分はＬＥＤ５４と反対側に凹んだ凹面２３ｂが形成されている。凸面２３ａ及び凹面２３ｂは、例えば円柱面に形成することができる。
【００３４】
また、凹面２３ｂの表面には、色波長を変更する素材で形成された第２の光学部材（光学部材）２２ｂが取り付けられている。第２の光学部材２２ｂは、フィルム状の部材を第１の光学部材２０ｂの凹面２３ｂに貼り付けることができる。あるいは、第１の光学部材２０ｂを成形する際に、凹面２３ｂの表面に第２の光学部材２２ｂを一体で２色成形することもできる。なお、凸面２３ａに、色波長を変更する素材で形成された第３の光学部材を設けることも可能である。
【００３５】
図３（Ｂ）及び図４（Ａ）に示すように、非打鍵時におけるＬＥＤ５４と第１の光学部材２０ｂ及び第２の光学部材２２ｂの位置関係は、第２の光学部材２２ｂのみがＬＥＤ５４の照射範囲Ｒに位置するようにする。すなわち、照射範囲Ｒは、第２の光学部材２２ｂに照射される光の範囲Ｒ２と等しい。この状態では、ＬＥＤ５４からの光は、第２の光学部材２２ｂに入射して光の色を変え、第１の光学部材２０ｂに入射して透過性部位１５に導光される。
【００３６】
また、図１（Ｃ）及び図２（Ｃ）に示すように、打鍵時において鍵１０を完全に押し下げた状態では、第１の光学部材２０ｂの凸面２３ａのみがＬＥＤ５４の照射範囲Ｒに位置するようにし、第２の光学部材２２ｂは、まったく照射されないようにする。この状態では、ＬＥＤ５４からの光は第１の光学部材２０ｂのみによって鍵１０の透過性部位１５に導かれる。
【００３７】
次に、鍵盤装置２の使用時における発光状態について説明する。
図４（Ａ）は非打鍵時におけるＬＥＤ５４、第１の光学部材２０ｂ及び第２の光学部材２２ｂの位置関係を示している。図４（Ｂ）は鍵１０を揺動範囲の途中まで打鍵したときのＬＥＤ５４、第１の光学部材２０ｂ及び第２の光学部材２２ｂの位置関係を示している。また、図４（Ｃ）は鍵１０を揺動範囲の限界まで打鍵したときのＬＥＤ５４、第１の光学部材２０ｂ及び第２の光学部材２２ｂの位置関係を示している。
【００３８】
図３（Ｂ）及び図４（Ａ）に示すように、非打鍵時には、第２の光学部材２２ｂのみがＬＥＤ５４の照射範囲Ｒに位置している。すなわち、照射範囲Ｒは、第２の光学部材２２ｂに照射される光の範囲Ｒ２と等しい。このため、次に打鍵すべき鍵１０を知らせるガイド機能によりＬＥＤ５４が発光した際には、ＬＥＤ５４からの光は第２の光学部材２２ｂのみに入射する。第２の光学部材２２ｂは、凹面２３ｂに取り付けられているので、第２の光学部材２２ｂから第１の光学部材２０ｂに入射した光は、色を変えて第１の光学部材２０ｂの内部で広がる。そして、第１の光学部材２０ｂに導光されて鍵１０の上板１１の透過性部位１５を照らす。これにより、透過性部位１５が鍵１０の色と異なる色に発光するので、ユーザは次に打鍵すべき鍵１０を視認することができる。
【００３９】
図４（Ｂ）に示すように、非打鍵時の状態から打鍵により鍵１０を次第に押し下げると、鍵１０に伴って第１の光学部材２０ｂ及び第２の光学部材２２ｂが下降する。ＬＥＤ５４の位置は変わらないので、ＬＥＤ５４からの照射光は相対的に上昇し、照射範囲Ｒが第２の光学部材２２ｂから第１の光学部材２０ｂの凸面２３ａへと移行する。移行途中の段階では、照射範囲Ｒに含まれる第２の光学部材２２ｂの範囲Ｒ２が次第に減少するので、透過性部位１５の色は、鍵１０の下降量に対応して第２の光学部材２２ｂの色から第１の光学部材２０ｂの色へと連続的に変化する。この透過性部位１５の色の変化により、ユーザは、打鍵すべき鍵１０を打鍵していることを視認できる。また、色の変化の度合いにより、打鍵強度を視認することができる。
【００４０】
図３（Ｃ）及び図４（Ｃ）に示すように、限界まで打鍵した時には、第１の光学部材２０ｂの凸面２３ａのみがＬＥＤ５４の照射範囲Ｒに位置しており、ＬＥＤ５４からの光は凸面２３ａに入射して、第１の光学部材２０ｂにより導光される。このとき、第２の光学部材２２ｂに照射される範囲Ｒ２は、ゼロである。また、ＬＥＤ５４からの光は凸面２３ａに入射するため、入射後光は収束しながら第１の光学部材２０ｂに導光されるので、入射後に第２の光学部材２２ｂの影響を受けることが回避される。
【００４１】
このため、透過性部位１５は、第２の光学部材２２ｂの影響を受けることなく、第１の光学部材２０ｂの色に発光する。これにより、ユーザは、打鍵すべき鍵１０を強く打鍵したことを視認できる。なお、凸面２３ａ及び凹面２３ｂの焦点距離や拡散材を調整することにより、凸面２３ａ及び凹面２３ｂの相互影響を小さくして、効率的に透過性部位１５に集光するようにすることができる。
【００４２】
以上、説明した第２実施形態の鍵盤装置２によれば、前述した第１実施形態の鍵盤装置１と同様の作用・効果を得ることができる。
さらに、第２の光学部材２２ｂを第１の光学部材２０ｂの凹面２３ｂに設けたので、第２の光学部材２２ｂに入射した光は第１の光学部材２０ｂの内部に均等に広がる。また、第２の光学部材２２ｂが設けられていない一面２３を凸面２３ａとしたので、打鍵時に凸面２３ａのみに光が入射した際に、第２の光学部材２２ｂの影響を受けないようにすることができる。
【００４３】
（第３実施形態）
以下、本発明に係る第３実施形態の鍵盤装置について、図面を用いて説明する。なお、前述した第１実施形態の鍵盤装置１及び第２実施形態の鍵盤装置２と共通する部位には同じ符号を付して、重複する説明を省略することとする。
【００４４】
図５（Ａ）は本発明に係る第３実施形態における鍵の平面図であり、図５（Ｂ）は図５（Ａ）中Ａ−Ａ位置における非打鍵時の鍵の断面図であり、図５（Ｃ）は図５（Ａ）中Ａ−Ａ位置における打鍵時の鍵の断面図である。
【００４５】
図５（Ａ）〜（Ｃ）に示すように、本発明に係る第３実施形態の鍵盤装置３においては、鍵１０の後端部に、第１の光学部材（光学部材）２０ｃが上板１１の下面から下方に向かって取り付けられている。第１の光学部材２０ｃは直角三角形の断面を有しており、後側の一面２４が鍵１０の上板１１に直交するように設けられている。
【００４６】
第１の光学部材２０ｃは、光を拡散しながら透過させる素材を用いて形成されており、鍵１０の色と同じ色が望ましい。第１の光学部材２０ｃは、別個に成形されて鍵１０の上板１１の下面に貼り付けることができるが、同じ素材を用いて鍵１０と一体で成形することもできる。第１の光学部材２０ｃが取り付けられている領域に対応する上板１１の上面１１ａが、透過性部位１５となる。
【００４７】
第１の光学部材２０ｃの一面２４には、色波長を変更する素材で形成された第２の光学部材（光学部材）２２ｃが取り付けられている。第２の光学部材２２ｃは、フィルム状の部材を第１の光学部材２０ｃの一面２４に貼り付けることができる。あるいは、第１の光学部材２０ｃを成形する際に、一面２４に第２の光学部材２２ｃを一体で２色成形することもできる。また、第２の光学部材２２ｃは、単一色でもよいが、色や明暗が次第に変化するグラデーションであってもよい。
【００４８】
ＬＥＤ５４は、鍵１０の上板１１の下方に設けられており、非打鍵時にはＬＥＤ５４の照射方向が上板１１に直交するとともに第２の光学部材２２ｃの面方向と一致している（図５（Ｂ）参照）。このため、非打鍵時には、第２の光学部材２２ｃの影響を受けることなく透過性部位１５を発光させる。
【００４９】
また、図５（Ｃ）に示すように、打鍵時して鍵１０の後端を下降させると、鍵１０の傾きとともに第２の光学部材２２ｃが次第に傾き、ＬＥＤ５４からの光が第２の光学部材２２ｃに入射することになる。したがって、鍵１０の下降量（すなわち、傾き量）に応じて、第２の光学部材２２ｃの影響が大きくなるので、透過性部位１５の発光色が次第に第２の光学部材２２ｃの色に近づく。
【００５０】
次に、鍵盤装置３の使用時における発光状態について説明する。
図５（Ｂ）に示すように、非打鍵時には、第１の光学部材２０ｃの一面２４に取り付けられた第２の光学部材２２ｃが、ＬＥＤ５４の照射方向と一致しているので、第２の光学部材２２ｃの影響なく透過性部位１５が発光する。
【００５１】
一方、打鍵により鍵１０を下降させると、第２の光学部材２２ｃがＬＥＤ５４の照射方向に対して傾斜し、光を受ける。これにより、第２の光学部材２２ｃによって光の状態が変化し、第１の光学部材２０ｃによって変化が透過性部位１５に伝達される。鍵１０を強く打鍵して下降量が大きくなると、ＬＥＤ５４の照射方向に対する第２の光学部材２２ｃの傾斜角度が大きくなるので、第２の光学部材２２ｃの影響が大きくなる。このため、ユーザは、光方の変化の大きさから、打鍵の強度を視認することができる。
【００５２】
以上、説明した第３実施形態の鍵盤装置３によれば、前述した第１実施形態の鍵盤装置１と同様の作用・効果を得ることができる。
【００５３】
＜実施形態群Ｂ＞
実施形態群Ｂにおいては、鍵盤装置は、光透過性を有し打鍵方向に揺動可能に設けられた複数の鍵と、鍵に光を照射する光源と、を有し、打鍵による鍵と光源との相対的位置関係の変化によって、鍵の表面部から発せられる光の状態を変化させる。
さらに、鍵盤装置に、光源と鍵との間に設けられ光源からの光を変化させる光学部材を設け、打鍵による光源と鍵と光学部材との相対的位置を変化させる。
このとき、鍵盤装置は、１個の発光素子からなる光源と、１個の透過性部位を有する鍵の表面部と、光学部材と、発光素子からの光を遮蔽可能な遮蔽部材と、を有し、光学部材を発光素子から透過性部位までの光の経路上に配設するとともに、打鍵によって光の経路上における遮蔽部材の位置を変化させて、透過性部位から発せられる光の色を変化させるようにした。
これにより、非打鍵時において演奏データに基づいて打鍵すべき鍵を発光させる第１発光機能と、打鍵時に鍵を発光させる第２発光機能と、を有し、第１発光機能による発光色と第２発光機能による発光色とが異なるようにした。
【００５４】
（第４実施形態）
以下、本発明に係る第４実施形態の鍵盤装置について、図面を用いて説明する。なお、前述した第１実施形態の鍵盤装置１から第３実施形態の鍵盤装置３と共通する部位には同じ符号を付して、重複する説明を省略することとする。
【００５５】
図６（Ａ）は本発明に係る第４実施形態における非打鍵時の断面図であり、図６（Ｂ）は打鍵時の断面図である。
図６（Ａ）及び（Ｂ）に示すように、本発明に係る第４実施形態の鍵盤装置４においては、鍵１０の透過性部位１５に対応する上板１１の下面に、回折格子（光学部材）２５が取り付けられている。また、回折格子２５の下方には、遮蔽部材２６が鍵１０の一対の側板１２、１２（図１（Ａ）参照）間に設けられている。なお、回折格子２５は、別途製作されたものを鍵１０の上板１１の下面に貼り付けることができる。また、鍵１０を成形する際に、回折格子２５に相当するパターンを一体成形で設けることもできる。あるいは、回折格子２５の代わりに、着色したフィルムや二色成形で着色部分を設けることもできる。
【００５６】
ＬＥＤ５４は、鍵１０の上板１１の下方に設けられており、鍵１０を発光させるとともに、回折格子２５に光を照射可能となっている。ＬＥＤ５４は、鍵盤シャーシ５０に固定されており、不動であるが、遮蔽部材２６及び回折格子２５は鍵１０に設けられているので、鍵１０とともに移動する。
【００５７】
ＬＥＤ５４、遮蔽部材２６及び回折格子２５の位置関係は、非打鍵時には、図６（Ａ）に示すように、回折格子２５を照射するＬＥＤ５４の光の経路上に遮蔽部材２６を配置する。
また、図６（Ｂ）に示すように、打鍵時には、鍵１０の下降に伴って、ＬＥＤ５４と回折格子２５とを結ぶ光の経路上から外れるように、遮蔽部材２６を配置しておく。
【００５８】
次に、鍵盤装置４の使用時における発光状態について説明する。
図６（Ａ）に示すように、非打鍵時には、回折格子２５を照射するＬＥＤ５４の光の経路上に遮蔽部材２６が位置しているので、光は遮蔽部材２６に遮られて回折格子２５に達しない。このため、非打鍵時に演奏データに基づいて打鍵すべき鍵１０を発光させる第１発光機能によってＬＥＤ５４が発光すると、鍵１０の後端部は広く発光するが、回折格子２５の影響を受けないので透過性部位１５は変化しない。
【００５９】
一方、図６（Ｂ）に示すように、打鍵時には、打鍵によって鍵１０の後端が下降するので、鍵１０の動きに伴って遮蔽部材２６がＬＥＤ５４の光の経路から外れる。これにより、回折格子２５に光が照射されるようになるため、回折格子２５による光の回折現象により各波長成分に分光されて透過性部位１５が虹色に発光する。このとき、鍵１０の沈み量に応じて、光の経路から外れる遮蔽部材２６の面積が変化して、回折格子２５に照射される光の量が変化するので、透過性部位１５の光り方や光る領域の変化により打鍵の強度を視認することができる。
【００６０】
以上、説明した第４実施形態の鍵盤装置４によれば、打鍵による鍵１０とＬＥＤ５４との相対的位置関係の変化によって、鍵１０の上面１１ａから発せられる光の状態を変化させるようにした。このため、回路規模やシステム規模を大きくすることなく現行の回路規模及び制御システムを用いて、機械的に発光状態を変えることにより、打鍵すべき鍵１０を打鍵したこと及び打鍵の強度を容易に視認することができる。
【００６１】
また、ＬＥＤ５４と鍵１０との間に、ＬＥＤ５４からの光を変化させる回折格子２５及び遮蔽部材２６を設け、打鍵によってＬＥＤ５４、回折格子２５及び遮蔽部材２６の相対的位置を変化させるようにした。すなわち、回折格子２５をＬＥＤ５４から透過性部位１５までの光の経路上に配設するとともに、打鍵によって光の経路上における遮蔽部材２６の位置を変化させて、回折格子２５に照射される光の量を変化させるようにした。これにより、透過性部位１５から発せられる光の状態を変化させることができるので、打鍵すべき鍵１０を打鍵したこと及び打鍵の強度を容易に視認することができる。
【００６２】
＜実施形態群Ｃ＞
次に、実施形態群Ｃの特徴について説明する。
実施形態群Ｃにおいては、鍵盤装置は、光透過性を有し打鍵方向に揺動可能に設けられた複数の鍵と、鍵に光を照射する光源と、を有し、打鍵による鍵と光源との相対的位置関係の変化によって、鍵の表面部から発せられる光の状態を変化させる。
さらに、鍵盤装置は、レーザ光を照射する発光素子を有する光源と、１個の透過性部位を有する鍵の表面部と、レーザ光を透過性部位に導く光学部材と、を有し、打鍵によって光学部材の位置が変化して、透過性部位から発せられる光の色を変化させるものである。
これにより、非打鍵時において演奏データに基づいて打鍵すべき鍵を発光させる第１発光機能と、打鍵時に鍵を発光させる第２発光機能と、を有し、第１発光機能による発光色と第２発光機能による発光色とが異なるようにした。
【００６３】
（第５実施形態）
以下、本発明に係る第５実施形態の鍵盤装置について、図面を用いて説明する。なお、前述した第１実施形態の鍵盤装置１から第４実施形態の鍵盤装置４と共通する部位には同じ符号を付して、重複する説明を省略することとする。
【００６４】
図７（Ａ）は本発明に係る第５実施形態における非打鍵時の断面図であり、図７（Ｂ）は打鍵時の断面図である。
図７（Ａ）及び（Ｂ）に示すように、本発明に係る第５実施形態の鍵盤装置５においては、光源として直進性の強いレーザ光源５６が用いられており、各鍵１０の前端付近に対応して鍵盤シャーシ５０に取り付けられている。レーザ光源５６は、鍵１０に沿って後方に向かってレーザ光ＬＢを照射する。
【００６５】
したがって、レーザ光ＬＢは、打鍵操作にかかわらず一定の方向に照射され、鍵１０の後端板１６に照射される。後端板１６は光透過性を有する素材で形成されており、レーザ光ＬＢが後端板１６に照射されると、後面（表面部）１６ａが発光して透過性部位１５となる。なお、レーザ光ＬＢとしては、後述するように回折を利用するため、種々の色が含まれる白色レーザ光が望ましい。
【００６６】
鍵１０の上板１１の下面の後端部付近に、光学部材２７が設けられている。光学部材２７は、非打鍵時にはレーザ光ＬＢの経路に位置しない（図７（Ａ）参照）。そして、打鍵して鍵１０を下降させると、レーザ光源５６の位置が固定されているので、レーザ光ＬＢが相対的に上昇して光学部材２７に照射される（図７（Ｂ）参照）。
【００６７】
図８に示すように、光学部材２７は遮光性の素材で矩形板状に形成されており、上下方向に複数の開口２８が設けられている。開口２８は、光学部材２７の下端部では大きく、上に向かうにしたがって小さくなっている。なお、ここでは、円形の開口２８を用いる場合を説明するが、矩形やその他の形状でも可能である。
【００６８】
レーザ光源５６から発せられたレーザ光ＬＢが開口２８を通過すると、回折により後端板１６には、同心円のリング状の明部と暗部とが交互に繰り返す回折縞が生じる。これにより、透過性部位１５には円形の縞模様が視認できる。レーザ光ＬＢが光学部材２７下部の大きな開口２８を通過すると、生じる回折縞の大きさや明るさ（光量）が大きい。レーザ光ＬＢが相対的に光学部材２７に対して上昇して小さな開口２８を通過した際には、生じる回折縞の大きさや明るさ（光量）が小さくなる。なお、矩形やその他の形状の開口２８を用いる場合も、開口２８の形状に応じた縞模様が視認できる。
【００６９】
次に、鍵盤装置５の使用時における発光状態について説明する。
図７（Ａ）に示すように、非打鍵時に、第１発光機能により演奏データに基づいて打鍵すべき鍵１０のレーザ光源５６を発光させると、レーザ光ＬＢは光学部材２７を通過することなく直接、鍵１０の後端板１６に照射されて拡散される。このため、透過性部位１５はレーザ光ＬＢの形状が拡散した状態で視認される。
【００７０】
一方、図７（Ｂ）に示すように、打鍵時には、鍵１０が下降するので、光学部材２７にレーザ光ＬＢが照射される。打鍵が弱いときは、鍵１０の下降量が少ないので、レーザ光ＬＢは大きな開口２８を通過する。また、次第に打鍵が強くなると、鍵１０の下降量が次第に大きくなり、レーザ光ＬＢは徐々に小さな開口２８を通過することになる。
【００７１】
以上、説明した第５実施形態の鍵盤装置５によれば、打鍵による鍵１０とレーザ光源５６との相対的位置関係の変化によって、鍵１０の透過性部位１５から発せられる光の状態を変化させるようにした。このため、回路規模やシステム規模を大きくすることなく現行の回路規模及び制御システムを用いて、機械的に発光状態を変えることにより、打鍵すべき鍵１０を打鍵したこと及び打鍵の強度を容易に視認することができる。
【００７２】
また、レーザ光源５６と鍵１０との間に、レーザ光ＬＢを透過性部位１５に導く光学部材２７を設け、打鍵によって光学部材２７の位置が変化して、透過性部位１５から発せられる光の色を変化させるようにした。このため、鍵１０の透過性部位１５から発せられる光の状態を変化させることができるので、打鍵すべき鍵１０を打鍵したこと及び打鍵の強度を容易に視認することができる。
【００７３】
さらに、光学部材２７に開口２８を設け、鍵１０の下降量に応じて開口２８の大きさが変わるようにした。このため、打鍵が弱いときは、鍵１０の下降量が少ないので、レーザ光ＬＢは大きな開口２８を通過する。これにより、透過性部位１５には、大きくて明るい回折縞が視認される。また、次第に打鍵が強くなると、鍵１０の下降量が次第に大きくなり、レーザ光ＬＢは徐々に小さな開口２８を通過することになる。これにより、透過性部位１５には、次第に小さくて暗い回折縞が視認されるので、打鍵すべき鍵１０を打鍵したこと及び打鍵の強度を容易に視認することができる。
【００７４】
（第６実施形態）
以下、本発明に係る第６実施形態の鍵盤装置について、図面を用いて説明する。なお、前述した第１実施形態の鍵盤装置１から第５実施形態の鍵盤装置５と共通する部位には同じ符号を付して、重複する説明を省略することとする。
【００７５】
図９は本発明に係る第６実施形態の鍵盤装置６の要部説明図である。
図９に示すように、本発明に係る第６実施形態の鍵盤装置６においては、非打鍵時において演奏データに基づいて打鍵すべき鍵１０を発光させる第１発光機能のための光源とは別個に、打鍵時に鍵１０を発光させる第２発光機能のためのレーザ光源５７が設けられている。レーザ光源５７は、鍵盤シャーシ５０に固定されて１個設けられており、鍵１０の下方において、鍵１０の配列方向にレーザ光ＬＢ１を発する。なお、図示はしないが、各鍵１０の内部には、ガイド用（第１発光機能用）の光源が設けられている。
【００７６】
各鍵１０の下方には、光学部材２９が突出して設けられている。光学部材２９は、三角柱状の透過型反射材で形成されており、反射面２９ａを有する。レーザ光源５７と光学部材２９との位置関係は、非打鍵時には鍵１０が上方位置にあり、光学部材２９にはレーザ光ＬＢ１が照射されない。一方、打鍵時には鍵１０が下降するので、レーザ光ＬＢ１は光学部材２９の反射面２９ａに照射されるようになる。
【００７７】
次に、鍵盤装置６の使用時における発光状態について説明する。
図９に示すように、非打鍵時においては、鍵１０が上方にあるため、レーザ光源５７（ＬＥＤ）からのレーザ光ＬＢ１は、光学部材２９には照射されない。このため、鍵１０の透過性部位１５は、打鍵によって発光しない。なお、演奏データに基づいて打鍵すべき鍵を発光させる第１発光機能による発光は、行われている。
【００７８】
一方、打鍵により鍵１０が下降すると、光学部材２９も下降するので、レーザ光源５７（ＬＥＤ）からのレーザ光ＬＢ１は光学部材２９に照射される。光学部材２９に照射されたレーザ光ＬＢ１は、光学部材２９の反射面２９ａで屈折して、レーザ光ＬＢ２により鍵１０の透過性部位１５を発光させる。このとき、打鍵強度に対応して鍵１０及び光学部材２９の下降量が変化するので、透過性部位１５の発光強度が変化する。これにより、打鍵強度を視認することができる。
【００７９】
以上、説明した第６実施形態の鍵盤装置６によれば、打鍵による鍵１０とレーザ光源５７との相対的位置関係の変化によって、鍵１０の透過性部位１５から発せられる光の状態を変化させるようにした。このため、回路規模やシステム規模を大きくすることなく現行の回路規模及び制御システムを用いて、機械的に発光状態を変えることにより、打鍵すべき鍵１０を打鍵したこと及び打鍵の強度を容易に視認することができる。
【００８０】
また、打鍵時に鍵１０を発光させる第２発光機能のための光源としての１個のレーザ光源５７と各鍵１０との間に、レーザ光ＬＢ１を透過性部位１５に導く光学部材２９を設け、打鍵によって光学部材２９の位置が変化して、透過性部位１５から発せられる光の色を変化させるようにした。このため、鍵１０の透過性部位１５から発せられる光の状態を変化させることができるので、打鍵すべき鍵１０を打鍵したこと及び打鍵の強度を容易に視認することができる。
【００８１】
＜実施形態群Ｄ＞
次に、実施形態群Ｄの特徴について説明する。
従来の鍵盤装置においては、各鍵に光源を設けて鍵を発光させることができるようになっている。これにより、非打鍵時において演奏データに基づいて打鍵すべき鍵を発光させる第１発光機能と、打鍵時に鍵を発光させる第２発光機能を可能にしている。
【００８２】
しかしながら、従来の鍵盤装置においては、打鍵すべき鍵をガイドする際に、音の強弱に関するガイド機能がなかった。また、打鍵した強度を知らせる機能もなかった。
【００８３】
実施形態群Ｄは、上記事情に鑑みてなされたものであり、打鍵すべき鍵をガイドする際に音の強弱に関するガイド機能を有するとともに、打鍵した強度を知らせる機能を有する鍵盤装置を提供することを目的とする。
【００８４】
このため、実施形態群Ｄにおいては、鍵盤装置は、光透過性を有し打鍵方向に揺動可能に設けられた複数の鍵と、鍵に光を照射する光源と、を有し、打鍵による鍵と光源との相対的位置関係の変化によって、鍵の表面部から発せられる光の状態を変化させる。
また、鍵盤装置は、各鍵に対して、複数個の発光素子を有する光源と、各発光素子に対応して複数個の透過性部位を有する鍵の表面部と、を有し、打鍵によって変化する発光素子と透過性部位との間の距離の変化量が、発光素子と透過性部位との組み合わせごとに異なるようにした。
さらに、鍵盤装置は、発光素子と透過性部位との第１の組み合わせにおいては、発光素子の発光強度は打鍵の有無に関係なく電気的に制御可能であり、発光素子と透過性部位との第２の組み合わせにおいては、発光素子の発光強度を一定に保持するとともに打鍵によって変化する発光素子と透過性部位との間の距離の変化量により透過性部位から発せられる光の色を変化させるようにした。
さらにまた、鍵盤装置は、演奏データに基づいて打鍵すべき鍵の打鍵強度を特定する第１強度特定手段と、実際に打鍵された鍵の打鍵強度を特定する第２強度特定手段と、第１強度特定手段により特定された第１打鍵強度と、第２強度特定手段により特定された第２打鍵強度とを比較し、比較結果に応じた強度で透過性部位を発光させる発光制御手段と、を有し、発光制御手段による発光の制御は、打鍵により生じる発光素子と透過性部位との間の距離の変化量が少ないほうの組み合わせに対応する発光素子に対して行うようにした。
これにより、非打鍵時において演奏データに基づいて打鍵すべき鍵を発光させる第１発光機能と、打鍵時に鍵を発光させる第２発光機能と、を有し、第１発光機能による発光色と第２発光機能による発光色とが異なるようにした。
【００８５】
（第７実施形態）
以下、本発明に係る第７実施形態の鍵盤装置について、図面を用いて説明する。なお、前述した第１実施形態の鍵盤装置１から第６実施形態の鍵盤装置６と共通する部位には同じ符号を付して、重複する説明を省略することとする。
【００８６】
図１０（Ａ）は本発明に係る第７実施形態の鍵盤装置の平面図であり、図１０（Ｂ）は非打鍵時における図１０（Ａ）中Ａ−Ａ位置の断面図であり、図１０（Ｃ）は打鍵時における図１０（Ａ）中Ａ−Ａ位置の断面図である。
【００８７】
図１０に示すように、本発明に係る第７実施形態の鍵盤装置７においては、鍵１０の上板１１の下方に、次に打鍵すべき鍵１０を表示するためのガイド用ＬＥＤ（光源）５８と、打鍵の強弱を示す強弱表示用ＬＥＤ（光源）５９が設けられている。ガイド用ＬＥＤ５８及び強弱表示用ＬＥＤ５９は、鍵盤シャーシ５０（図示省略）に取り付けられている第２の基板５３に取り付けられている。ガイド用ＬＥＤ５８の上方に対応する上板１１の上面１１ａには、ガイド用透過性部位１７ａが設けられ、強弱表示用ＬＥＤ５９の上方に対応する上板１１の上面１１ａには、強弱表示用透過性部位１７ｂが設けられている。
【００８８】
強弱表示用ＬＥＤ５９と強弱表示用透過性部位１７ｂは第１の組み合わせを構成し、ガイド用ＬＥＤ５８とガイド用透過性部位１７ａは第２の組み合わせを構成する。第１の組み合わせでは、強弱表示用ＬＥＤ５９の発光強度は、打鍵の有無に関係なく電気的に制御される。また、第２の組み合わせにおいては、ガイド用ＬＥＤ５８の発光強度を一定に保持するためオン・オフ以外の電気的な制御は行われない。
【００８９】
図１１に示すように、鍵盤装置７は、中央制御部であるＣＰＵ６０を有している。ＣＰＵ６０には、打鍵すべき鍵１０の演奏データ等を記憶するメモリ６１、ガイド用ＬＥＤ５８及び強弱表示用ＬＥＤ５９を制御する発光制御手段６２が接続されている。また、ＣＰＵ６０には、メモリ６１に記憶されている演奏データに基づいて打鍵すべき鍵１０の打鍵強度を特定する第１強度特定手段６３と、実際に打鍵された鍵１０の打鍵強度を特定する第２強度特定手段６４とが接続されている。さらに、第１強度特定手段６３により特定された第１打鍵強度と、第２強度特定手段６４により特定された第２打鍵強度とを比較する比較部６５が接続されている。
【００９０】
次に、鍵盤装置７の使用時における発光状態について説明する。
図１０（Ｂ）に示すように、非打鍵時には、発光制御手段６２が、メモリ６１に記憶されている演奏データに基づいて打鍵すべき鍵１０のガイド用ＬＥＤ５８を発光させる。これにより、ガイド用透過性部位１７ａが発光する。このとき、ガイド用ＬＥＤ５８の発光強度を一定に保持する。なお、非打鍵時には打鍵されていないので、強弱表示用ＬＥＤ５９は発光しないため、強弱表示用透過性部位１７ｂは発光しない。
【００９１】
図１０（Ｃ）に示すように、ガイドされてガイド用透過性部位１７ａが発光している鍵１０を打鍵した時には、第２強度特定手段６４が実際に打鍵された強度を特定して第２打鍵強度を特定する。そして、比較部６５が、演奏データに基づく第１打鍵強度と第２打鍵強度とを比較して、発光制御手段６２が強弱表示用ＬＥＤ５９を発光させる。このとき、発光制御手段６２は、比較部６５によって得られた第１打鍵強度と第２打鍵強度の差に対応して、強弱表示用ＬＥＤ５９の発光状態を制御する。例えば、第１打鍵強度と第２打鍵強度の差が大きいほど明るくしたり、赤に近くしたりすることができる。これにより、強弱表示用透過性部位１７ｂの発光状態から、打鍵強度を視認することができる。
【００９２】
一方、第２の組み合わせにおけるガイド用ＬＥＤ５８の発光強度は一定に保持されているが、打鍵により鍵１０が下降すると、ガイド用ＬＥＤ５８とガイド用透過性部位１７ａとの間の距離Ｌ１が近くなるので、ガイド用透過性部位１７ａの発光強度が大きくなる。なお、第１の組み合わせにおける強弱表示用ＬＥＤ５９と強弱表示用透過性部位１７ｂとの間の距離Ｌ２も多少近くなるが、第２の組み合わせと比較して近くなる距離が小さいので、強弱表示用透過性部位１７ｂの発光強度に対する影響は小さい。
【００９３】
以上、説明した第７実施形態の鍵盤装置７によれば、打鍵による鍵１０とガイド用ＬＥＤ５８との相対的位置関係の変化によって、鍵１０の上面１１ａから発せられる光の状態を変化させるようにした。このため、回路規模やシステム規模を大きくすることなく現行の回路規模及び制御システムを用いて、機械的に発光状態を変えることにより、打鍵した鍵１０を視認することができる。
【００９４】
また、各鍵１０に対して、打鍵すべき鍵１０を表示するガイド用ＬＥＤ５８と、打鍵の強弱を示す強弱表示用ＬＥＤ５９設けるとともに、これに対応してガイド用透過性部位１７ａと強弱表示用透過性部位１７ｂを設けた。そして、打鍵によって変化する光源と透過性部位との間の距離の変化量が、光源と透過性部位との組み合わせごとに異なるようにした。
【００９５】
さらに、強弱表示用ＬＥＤ５９の発光強度は打鍵の有無に関係なく電気的に制御される。また、ガイド用ＬＥＤ５８の発光強度は一定に保持され、ガイド用ＬＥＤ５８とガイド用透過性部位１７ａの距離が打鍵によって変化するので、電気的に制御することなく、打鍵によってガイド用透過性部位１７ａから発せられる光の色を変化させることができる。これにより、打鍵した鍵１０を視認することができる。
【００９６】
さらにまた、発光制御手段６２が、第１強度特定手段６３により特定された第１打鍵強度と、第２強度特定手段６４により特定された第２打鍵強度とを比較し、比較結果に応じた強度で強弱表示用ＬＥＤ５９発光させて、強弱表示用透過性部位１７ｂを発光させるようにした。これにより、実際に打鍵した打鍵強度と、演奏データから指示される打鍵強度との違いを、容易に視認することができる。
【００９７】
（第８実施形態）
以下、本発明に係る第８実施形態の鍵盤装置について、図面を用いて説明する。なお、前述した第１実施形態の鍵盤装置１から第７実施形態の鍵盤装置７と共通する部位には同じ符号を付して、重複する説明を省略することとする。
【００９８】
図１２（Ａ）は本発明に係る第８実施形態の鍵盤装置の平面図であり、図１２（Ｂ）は非打鍵時における図１２（Ａ）中Ａ−Ａ位置の断面図であり、図１２（Ｃ）は打鍵時における図１２（Ａ）中Ａ−Ａ位置の断面図である。
【００９９】
図１２に示すように、本実施形態の鍵盤装置８においては、鍵１０の上板１１の下方に、次に打鍵すべき鍵１０を表示するためのガイド用ＬＥＤ５８と、打鍵の強弱を示す強弱表示用ＬＥＤ５９が設けられている。ガイド用ＬＥＤ５８及び強弱表示用ＬＥＤ５９は、鍵盤シャーシ５０（図示省略）の第２の基板５３に取り付けられている。ガイド用ＬＥＤ５８は、後方に屈曲した光源取付部材５５ａの先端に取り付けられており、鍵１０の後端部に近くなっている。また、鍵１０の上板１１の後端部には、ガイド用透過性部位１７ａが設けられており、強弱表示用ＬＥＤ５９の上方に対応する上板１１の上面１１ａには、強弱表示用透過性部位１７ｂが設けられている。
【０１００】
なお、本実施形態の鍵盤装置８は、前述した第７実施形態の鍵盤装置７と同様の制御系統（図１１参照）を有しており、同様に制御されるので、重複説明を省略することとする。
【０１０１】
以上、説明した第８実施形態の鍵盤装置８によれば、前述した第７実施形態の鍵盤装置７と同様の作用・効果を得ることができる。
さらに、第８実施形態の鍵盤装置８によれば、ガイド用ＬＥＤ５８を屈曲した光源取付部材５５ａの先端に取り付けたので、ガイド用ＬＥＤ５８とガイド用透過性部位１７ａとの間の距離Ｌ１が近くなり、打鍵時の鍵１０の移動による距離の変化率が大きくなる。このため、ガイド用透過性部位１７ａの発光状態の変化が大きくなるので、打鍵した鍵１０をより容易に視認することができる。
【０１０２】
以上、本発明の好ましい実施形態について詳述したが、本発明に係る鍵盤装置１〜８は上述した実施形態に限定されるものではなく、特許請求の範囲に記載された本発明の要旨の範囲内において、種々の変形、変化が可能である。
【０１０３】
以下に、この出願の願書に最初に添付した特許請求の範囲に記載した発明を付記する。付記に記載した請求項の項番は、この出願の願書に最初に添付した特許請求の範囲のとおりである。
＜請求項１＞
光透過性を有し打鍵方向に揺動可能に設けられた複数の鍵と、
前記鍵に光を照射する光源と、を有し、
前記光源の発光状態を変化させることなく、打鍵による前記鍵と前記光源との相対的位置関係の変化によって、前記鍵の表面部から発せられる光の状態を変化させることを特徴とする鍵盤装置。
＜請求項２＞
前記光源と前記鍵との間に設けられ、前記光源から照射された後の光の色を変化させる光学部材を有し、
前記光源の発光色を変化させることなく、打鍵による前記光源と前記鍵と前記光学部材との相対的位置の変化によって、前記鍵の表面部から発せられる光の色を変化させることを特徴とする請求項１に記載の鍵盤装置。
＜請求項３＞
前記光源は、１個の発光素子からなり、
前記鍵の表面部は、１箇所の透過性部位を有し、
前記光学部材は、前記光源から照射される光の発光色を変化させる変化特性が異なる複数の前記光学部材からなり、
前記複数の光学部材の１つが、非打鍵時において前記発光素子から前記透過性部位までの光の経路上に配設されるとともに、打鍵によって前記光の経路上に位置する前記光学部材が入れ替わることで、前記透過性部位から発せられる光の色を変化させることを特徴とする請求項２に記載の鍵盤装置。
＜請求項４＞
前記光源は、１個の発光素子からなり、
前記鍵の表面部は、１箇所の透過性部位を有し、
前記発光素子からの光を遮蔽可能な遮蔽部材と、を有し、
前記光学部材を前記発光素子から前記透過性部位までの光の経路上に配設するとともに、打鍵によって前記光の経路上における前記遮蔽部材の位置を変化させて、前記透過性部位から発せられる光の色を変化させることを特徴とする請求項２に記載の鍵盤装置。
＜請求項５＞
前記光源は、レーザ光を照射する発光素子を有し、
前記鍵の表面部は、１箇所の透過性部位を有し、
前記レーザ光を前記透過性部位に導く前記光学部材と、を有し、
打鍵によって前記光学部材の位置が変化して、前記透過性部位から発せられる光の色を変化させることを特徴とする請求項２に記載の鍵盤装置。
＜請求項６＞
前記各鍵に対して、
複数個の発光素子を有する前記光源と、
前記各発光素子に対応して複数個の透過性部位を有する前記鍵の表面部と、を有し、
打鍵によって変化する前記発光素子と前記透過性部位との間の距離の変化量が、前記発光素子と前記透過性部位との組み合わせごとに異なることを特徴とする請求項１に記載の鍵盤装置。
＜請求項７＞
前記発光素子と前記透過性部位との第１の組み合わせにおいては、前記発光素子の発光強度は打鍵の有無に関係なく電気的に制御可能であり、
前記発光素子と前記透過性部位との第２の組み合わせにおいては、前記発光素子の発光強度を一定に保持するとともに打鍵によって変化する前記発光素子と前記透過性部位との間の距離の変化量により前記透過性部位から発せられる光の色を変化させることを特徴とする請求項６に記載の鍵盤装置。
＜請求項８＞
演奏データに基づいて打鍵すべき前記鍵の打鍵強度を特定する第１強度特定手段と、
実際に打鍵された前記鍵の打鍵強度を特定する第２強度特定手段と、
前記第１強度特定手段により特定された第１打鍵強度と、前記第２強度特定手段により特定された第２打鍵強度とを比較し、比較結果に応じた強度で前記透過性部位を発光させる発光制御手段と、を有し、
前記発光制御手段による発光の制御は、打鍵により生じる前記発光素子と前記透過性部位との間の距離の変化量が少ないほうの組み合わせに対応する前記発光素子に対して行われることを特徴とする請求項６に記載の鍵盤装置。
＜請求項９＞
非打鍵時において演奏データに基づいて打鍵すべき前記鍵を発光させる第１発光機能と、
打鍵時に前記鍵を発光させる第２発光機能と、を有し、
前記第１発光機能による発光色と前記第２発光機能による発光色とが異なることを特徴とする請求項１から請求項８までのいずれか１項に記載の鍵盤装置。
【符号の説明】
【０１０４】
１、２、３、４、５、６、７、８  鍵盤装置
１０  鍵
１１ａ  上面（表面部）
１５  透過性部位
１６ａ  後面（表面部）
１７ａ  ガイド用透過性部位（透過性部位）
１７ｂ  強弱表示用透過性部位（透過性部位）
２０ａ、２０ｂ、２０ｃ  第１の光学部材（光学部材）
２２ａ、２２ｂ、２２ｃ  第２の光学部材（光学部材）
２５  回折格子（光学部材）
２６  遮蔽部材
２７、２９  光学部材
５４  ＬＥＤ（光源、発光素子）
５６、５７  レーザ光源（光源）
５８  ガイド用ＬＥＤ（光源）
５９  強弱表示用ＬＥＤ（光源）
６２  発光制御手段
６３  第１強度特定手段
６４  第２強度特定手段
【図１】
2018159813.tif 000003
【図２】
2018159813.tif 000004
【図３】
2018159813.tif 000005
【図４】
2018159813.tif 000006
【図５】
2018159813.tif 000007
【図６】
2018159813.tif 000008
【図７】
2018159813.tif 000009
【図８】
2018159813.tif 000010
【図９】
2018159813.tif 000011
【図１０】
2018159813.tif 000012
【図１１】
2018159813.tif 000013
【図１２】
2018159813.tif 000014